(57)【特許請求の範囲】
【請求項１】
透液性の表面シートと、不透液性の裏面シートと、前記表面シートと前記裏面シートとの間に設けられた吸収体とを有する本体を備えた吸収性物品であって、
前記本体が、前後方向に所定の長さ及び当該前後方向と直交する幅方向に所定の幅を有する細長形状を有し、前記本体が、装着時に装着者の体液排出口に対応する体液排出口対応領域を含む中央領域と、前記中央領域の前方の前方端部領域と、前記中央領域の後方の後方端部領域とを有し、前記表面シート側から前記裏面シート側へと窪む圧搾溝を有し、
前記圧搾溝が、
前記前後方向に延在する一対の前後方向圧搾溝と、
前記前方端部領域及び前記後方端部領域のうち少なくとも一方の端部領域内に形成され、前記体液排出口対応領域に向かって突出する略Ｖ字形状を含む形状を有する端部領域圧搾溝とを有し、
前記前後方向圧搾溝が、前記中央領域を含む領域に設けられ、前記体液排出口対応領域から離れる方向に、前記端部領域圧搾溝の前記略Ｖ字形状の先端の位置を越えて延在しており、
前記前後方向圧搾溝の、少なくとも前記略Ｖ字形状の先端の位置を越えて延在する端部は、該端部の先端に近付く程、前後方向中心線から離れること無く近付くように形成されている、吸収性物品。
【請求項２】
前記前後方向圧搾溝の前記少なくとも一方の端部が、前記幅方向内側に向かって湾曲している、請求項１に記載の吸収性物品。
【請求項３】
前記端部領域圧搾溝の前記略Ｖ字形状の先端の位置と、前記前後方向圧搾溝の、前記先端の位置を越えて延在している部分の先端の位置との間の前記前後方向の間隔が、２．０〜８．０ｍｍである、請求項１に記載の吸収性物品。
【請求項４】
前記前後方向圧搾溝が、高圧搾部と、当該高圧搾部より窪みが浅い低圧搾部とを有し、
前記前後方向圧搾溝の、前記端部領域圧搾溝の前記略Ｖ字形状の先端の位置を越えて延在している部分が、前記高圧搾部を有さない、請求項１に記載の吸収性物品。
【請求項５】
前記略Ｖ字形状のＶ字の角度が、６０〜１５０°である、請求項１に記載の吸収性物品。
【請求項６】
前記前後方向圧搾溝と前記端部領域圧搾溝とが、前記幅方向に離間している、請求項１に記載の吸収性物品。
【請求項７】
前記端部領域圧搾溝が前記前方端部領域に形成されており、
前記一対の前後方向圧搾溝が前記後方端部領域において互いに連結している、請求項１に記載の吸収性物品。
【発明の詳細な説明】
【技術分野】
【０００１】
本発明は、吸収性物品に関する。
【背景技術】
【０００２】
従来、生理用ナプキン、パンティライナー、失禁パッド等の吸収性物品においては、吸収された体液の移行を制御したり、身体の形状に合わせて本体を変形させたりすること等を目的として、吸収性物品本体に線状の圧搾溝を形成することが知られている。【０００３】
例えば、特許文献１には、前方領域に幅方向に延びる前方圧搾溝と、排泄部対向領域における長手方向に沿う両側部に長手方向に延びる一対の縦圧搾溝とを有し、前方圧搾溝及び各縦圧搾溝が、幅方向内側に向かって括れる括れ部を形成しながら連接されており、前方圧搾溝が、幅方向中央部にて後方側に向かって窪んだ窪み部を有している吸収性物品が開示されている。【０００４】
特許文献２には、長手方向中心線の両側にそれぞれ、吸収性物品の略長手方向に沿うとともに、長手方向中心線側に曲率中心を有する弧状曲線によって排血口対応部エンボスを形成し、排血口対応部より長手方向に離間幅を設けて前側に位置する前側部に対して、吸収性物品の略幅方向に沿う前側部エンボスを形成し、排血口対応部より長手方向に離間幅を設けて後側に位置する後側部に対して、長手方向中心線上の位置から後側に向けて両側に漸次拡大する略逆Ｖ字形状で後側部エンボスを形成してある吸収性物品が開示されている。
【先行技術文献】
【特許文献】
【０００５】
【特許文献１】特許第６０４２３１２号公報
【特許文献２】特許第５３４９２８３号公報
【発明の概要】
【発明が解決しようとする課題】
【０００６】
特許文献１には、前方圧搾溝の窪み部を起点として折れ曲がり易くすることにより、前方での縦皺が発生し難くすることが記載されている。しかしながら、特許文献１の構成では、窪み部を起点として折れ曲がった部分が突出して肌に当たることにより、吸収性物品の装着感を損なう可能性がある。【０００７】
また、特許文献２には、開示の構成により、吸収性物品が身体の形状及び身体の動きに追従してフィット性が向上した点が記載されている。しかし、特許文献２の吸収性物品においては、身体の丸みに沿った端部領域のフィット性が十分でない場合がある。【０００８】
上記の点に鑑みて、本発明は、端部領域を身体の丸みに沿って良好にフィットさせることができ、装着感に優れた吸収性物品を提供することを課題とする。
【課題を解決するための手段】
【０００９】
本発明の第一の形態は、透液性の表面シートと、不透液性の裏面シートと、前記表面シートと前記裏面シートとの間に設けられた吸収体とを有する本体を備えた吸収性物品であって、前記本体が、前後方向に所定の長さ及び当該前後方向と直交する幅方向に所定の幅を有する細長形状を有し、前記本体が、装着時に装着者の体液排出口に対応する体液排出口対応領域を含む中央領域と、前記中央領域の前方の前方端部領域と、前記中央領域の後方の後方端部領域とを有し、前記表面シート側から前記裏面シート側へと窪む圧搾溝を有し、前記圧搾溝が、前記前後方向に延在する一対の前後方向圧搾溝と、前記前方端部領域及び前記後方端部領域のうち少なくとも一方の端部領域に形成され、前記体液排出口対応領域に向かって突出する略Ｖ字形状を含む形状を有する端部領域圧搾溝とを有し、前記前後方向圧搾溝が、前記体液排出口対応領域から離れる方向に、前記端部領域圧搾溝の前記略Ｖ字形状の先端の位置を越えて延在している。
【発明の効果】
【００１０】
本発明の一形態によれば、端部領域を身体の丸みに沿って良好にフィットさせることができ、装着感に優れた吸収性物品を提供することができる。
【図面の簡単な説明】
【００１１】
【図１】本発明の一形態による吸収性物品の一部破断図である。
【図２】本発明の一形態による吸収性物品のＩ−Ｉ線断面図である。
【図３】図１の前方端部領域の拡大図である。
【図４】図１の前方端部領域の拡大図である。
【図５】本発明の一形態における端部領域圧搾溝の変形例を示す図である。
【図６】本発明の別の形態による吸収性物品を示す図である。
【発明を実施するための形態】
【００１２】
以下、本発明の実施の形態について図面を参照しながら説明する。
【００１３】
図１に、本発明の一形態による吸収性物品１の一部破断図を示す。また、図２に、図１のＩ−Ｉ線断面を示す。図１、２に示すように、吸収性物品１は、不透液性の裏面シート２と、透液性の表面シート３と、これら両シート２、３間に設けられた吸収体４とを有する本体（吸収性物品本体）８とを備えている。吸収体４の形状保持等のために、吸収体４は、クレープ紙又は不織布等からなる被包シート５によって包まれていてもよい。
【００１４】
本体８は、図１に示すように、全体としては、前後方向に所定の長さを有し、前後方向と直交する方向に略一定の幅を有する細長い形状を有している。そして、吸収性物品１は、前後方向に延びる中心線ＣＬに対し略線対称の形状になっている。また、吸収性物品本体８は、装着時に装着者の膣口等の体液排出口に対応する領域（体液排出口対応領域）４０を含む中央領域Ｍと、中央領域Ｍの前方にある前方端部領域Ｆと、中央領域Ｍの後方にある後方端部領域Ｒとを有する（前方端部領域Ｆ及び後方端部領域Ｒを合せて端部領域とも呼ぶ）。中央領域Ｍは、その両側方から延びる、吸収性物品１を装着の際に下着に確実に固定するためのウィングＷ、Ｗを有していてよい。前方端部領域Ｆは、ウィングＷの前方の起点となる位置から前方の領域であり、後方端部領域Ｒは、ウィングＷの後方の起点となる位置から後方の領域とすることができる。
【００１５】
吸収体４の前方及び後方の端縁では、裏面シート２の外縁と表面シート３の外縁とが、ホットメルト等の接着剤やヒートシール、超音波シール等の接着手段によって接合されていてよい。また、表面シート３側の両側部には、それぞれ前後方向（長手方向）に沿ってサイド不織布７が設けられている。サイド不織布７は、本体８の側方に部分的に突出し、同じく側方に突出する裏面シート２に積層され、ホットメルト等の接着剤やヒートシール、超音波シール等の接着手段によって接合されていてよく、これにより、本体８の両側部にウィングＷ、Ｗを形成することができる。
【００１６】
裏面シート２としては、ポリエチレンやポリプロピレン等のオレフィン系樹脂シート等の少なくとも遮水性を有するシート材を用いることができる。ポリエチレンシート等に不織布を積層したラミネート不織布や、さらには防水フィルムを介在させて実質的に不透液性を確保した不織布の積層シート等を用いることができる。また、ムレ防止の観点から透湿性を有するものが用いられることがさらに望ましい。このような遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートを用いることができる。
【００１７】
表面シート３は、経血、おりもの、尿等の体液を速やかに透過させる透液性のシートである。表面シート３としては、有孔又は無孔の不織布や多孔性プラスチックシート等が好適に用いられる。不織布を構成する素材繊維としては、例えば、ポリエチレン、ポリプロピレン等のオレフィン、ポリエステル、ポリアミド等の合成繊維、レーヨン、キュプラ等の再生繊維、及びこれらの混紡繊維、並びに綿等の天然繊維を単独で又は２種以上組み合わせて用いることができる。また、不織布の加工法としては、スパンレース法、スパンボンド法、サーマルボンド法、メルトブローン法、ニードルパンチ法等が挙げられる。これらの加工法のうち、スパンレース法は柔軟性、スパンボンド法はドレープ性に富む不織布を製造できる点で好ましく、サーマルボンド法は嵩高でソフトな不織布を製造できる点で好ましい。また、融点の高い繊維を芯とし融点の低い繊維を鞘とした芯鞘型繊維、サイドバイサイド型繊維、分割型繊維などの複合繊維を用いることができる。
【００１８】
裏面シート２と表面シート３との間に介在される吸収体４は、体液を吸収して保持できる材料であれば限定されないが、綿状パルプと吸水性ポリマーとを含むことが好ましい。吸水性ポリマーとしては、高吸水ポリマー粒状粉（ｓｕｐｅｒａｂｓｏｒｂｅｎｔ  ｐｏｌｙｍｅｒ（ＳＡＰ））、高吸水ポリマー繊維（ｓｕｐｅｒａｂｓｏｒｂｅｎｔ  ｆｉｂｅｒ（ＳＡＦ））及びこれらの組合せを用いることができる。パルプとしては、木材から得られる化学パルプ、溶解パルプ等のセルロース繊維、レーヨン、アセテート等の人工セルロース繊維からなるものが挙げられる。化学パルプの原料材としては、広葉樹材、針葉樹材等が用いられるが、繊維長が長いこと等から針葉樹材が好適に使用される。
【００１９】
また、吸収体４には合成繊維を混合してもよい。合成繊維としては、ポリエチレン、ポリプロピレン等のポリオレフィン、ポリエチレンテレフタレート、ポリブチレンテレフタレート等のポリエステル、ナイロン等のポリアミド、及びこれらの共重合体を使用することができ、これらのうちの２種を混合して使用することもできる。また、融点の高い繊維を芯とし融点の低い繊維を鞘とした芯鞘型繊維、サイドバイサイド型繊維、分割型繊維などの複合繊維も用いることができる。なお、疎水性繊維を親水化剤で表面処理し、体液に対する親和性を付与したものを用いることもできる。
【００２０】
吸収体４の厚みは、０．５〜２５ｍｍの範囲内とすることができ、１．５〜６．５ｍｍの範囲であると好ましい。吸収体４は、前面にわたり均一な厚みを有していなくともよく、体液排出口対応領域４０及びその付近の領域、また臀部の溝に対応する部分（臀部溝対応部）及びその付近の領域を膨出させた構造とすることもできる。また、吸収体４は、積繊又はエアレイド法によって製造されたものが好ましい。
【００２１】
サイド不織布７としては、撥水処理不織布又は親水処理不織布を使用することができる。例えば、経血やおりもの等が浸透するのを防止する効果又は肌触り感を高める場合は、シリコン系、パラフィン系、アルキルクロミッククロライド系撥水剤などをコーティングした撥水処理不織布を用いることが好ましい。また、ウィングＷにおける経血等の吸収性を高める場合には、不織布の材料として、親水処理された不織布を用いることが好ましい。不織布の種類としては、折り癖が付きにくく、シワに成りにくく柔らかいエアスルー不織布が好ましい。
【００２２】
ウィングＷ、Ｗの外縁には、サイド不織布７と裏面シート２との接合のため及び剛性を高める目的で、所定の箇所に、ドット状や所定の形状を有する圧搾部（エンボス）が設けられていてもよい。
【００２３】
吸収性物品１の全長は、１３０〜４５０ｍｍとすることができ、１４０〜３６０ｍｍであると好ましく、１７０〜２７０ｍｍであるとより好ましい。
【００２４】
吸収性物品１には、圧搾溝（圧縮溝、エンボスともいう）が設けられている。この圧搾溝は、表面シート３から裏面シート２側に窪む線状の溝として形成されたものである。圧搾溝は、吸収体４のヨレを抑えたり、表面又は内部での体液の移行をコントロールしたり、身体の形状に適合した変形を容易にしたりする機能を有する。圧搾溝は、吸収体４の上に表面シート３を積層させた積層体を、一対の加圧ロールの間に通過させることによって形成することができる。例えば、上記積層体を、表面シート３側及び吸収体４側に、凸状のロール及び平坦なロールがそれぞれ配置されるようにして通過させることができる。
【００２５】
圧搾溝には、図１に示すように、本体の前後方向中心線ＣＬを対称軸として線対称に、前後方向に延びる一対の前後方向溝１０、１０が含まれる。この一対の前後方向圧搾溝１０、１０は、体液排出口対応領域４０上を通らないよう、体液排出口対応領域４０の側方に沿って又は体液排出口対応領域４０から側方に所定の距離を置いた位置を通るようにして延びていてよい。前後方向圧搾溝１０、１０は、主として中央領域Ｍに設けられていてよく、図１に示すように、中央領域Ｍを前後方向に越えて延びていてもよい。前後方向圧搾溝１０、１０は、全体として直線状に延びていてもよく、また、図示の例のように、途中で湾曲していてもよい。なお、一対の前後方向溝１０、１０は、必ずしも線対称に設けられていなくてもよい。但し、一対の前後方向溝１０、１０は、前後方向中心線ＣＬの両側にそれぞれ設けられていることが好ましい。
【００２６】
一対の前後方向圧搾溝１０、１０があることで、この圧搾溝を起点（可撓軸）として吸収性物品１の本体８が折り曲げやすくなる。そのため、吸収性物品１の装着時に本体８が両脚からの力を側方から受けると、前後方向圧搾溝１０、１０間の領域が身体側に盛り上がりやすくなり、特に中央領域Ｍの身体へのフィット性を高めることができる。
【００２７】
吸収性物品１の圧搾溝には、前方端部領域Ｆ及び後方端部領域Ｒのうちの少なくとも一方に形成された端部領域圧搾溝２０が含まれる。すなわち、端部領域圧搾溝２０は、前方端部領域Ｆに形成された前方端部領域圧搾溝２１及び／又は後方端部領域Ｒに形成された後方端部領域圧搾溝２２を指す。図１の例では、前方端部領域圧搾溝２１及び後方端部領域圧搾溝２２の両方が形成されている。
【００２８】
端部領域圧搾溝２０は、体液排出口対応領域４０に向かって突出する略Ｖ字形状を含む形状を有している。図１の例では、前方端部領域圧搾溝２１は、ハート形を有しており、体液排出口対応領域４０に向かって突出するＶ字の先端２１ｓを有するとともに、この先端２１ｓより前方に、同様に体液排出口対応領域４０に向かって突出するＶ字の先端２１ｓ’を有する。後方端部領域圧搾溝２２は、逆ハート形を有しており、体液排出口対応領域４０に向かって突出するＶ字の先端２２ｓを有するとともに、この先端２２ｓより後方に、同様に体液排出口対応領域４０に向かって突出するＶ字の先端２２ｓ’を有する。このように、図示の例では、前方端部領域圧搾溝２１及び後方端部領域圧搾溝２２はいずれも、複数のＶ字部分をそれぞれ含む形状を有している。
【００２９】
図１の例では、吸収性物品１は、左右対称になっており、且つ前後対称（図中では、上下対称）にもなっている。つまり、前方端部領域圧搾溝２１及び後方端部領域圧搾溝２２の一方を前後方向に反転させて他方に重ねた場合、そのサイズ及び形状は同じである。しかし、吸収性物品１は前後対称でなくてよく、前方端部領域圧搾溝２１及び後方端部領域圧搾溝２２のサイズは異なっていてもよいし、形状も前後対称になっていなくともよい。また、吸収性物品１又は本体８の構成（形状を含む）は、左右対称でなくともよい。
【００３０】
端部領域圧搾溝２０が略Ｖ字形状を含む形状を有していることで、装着時には、Ｖ字の部分を起点として端部領域を前後方向にも幅方向にも曲げやすくなる。これにより、装着前の状態では平面状である本体８の端部領域が曲面を形成するように、言わばカップ状に変形させることができる。そのため、吸収性物品１の端部領域を、身体の前側及び／又は後側で、身体の丸みに沿って自然にフィットさせることができる。したがって、歩行時や運動時においても吸収性物品１が身体に追従できるので、装着中の違和感を防止できる。また、本体８の身体にフィットしていない部分に余分な力が加わってヨレが生じること等も防止することができる。
【００３１】
端部圧搾溝２０の上記Ｖ字形状を有するＶ字部分の先端２０ｓは、前後方向中心線ＣＬ上にあると、端部領域を左右バランス良く湾曲させることができるので、好ましい。
【００３２】
さらに、本例では、図１、４に示すように、前後方向圧搾溝１０、１０は、体液排出口対応領域４０から離れる方向に、端部領域圧搾溝２０の略Ｖ字形状の先端２０ｓの位置を越えて延在している。別言すれば、図４に示すように、端部領域圧搾溝２０の先端２０ｓを通る幅方向に延びる仮想線をＸ１とした場合、前後方向圧搾溝１０、１０が、中央領域Ｍから離れる方向に仮想線Ｘ１を越えて延在している。
【００３３】
この場合、前後方向圧搾溝１０、１０が、前方端部領域Ｆにおいて、前方端部領域圧搾溝２１の略Ｖ字形状の先端２１ｓの位置を越えて、体液排出口対応領域４０から離れる方向に延在していてよく、或いは、後方端部領域Ｒにおいて、後方端部領域圧搾溝２２の略Ｖ字形状の先端２２ｓの位置を越えて体液排出口対応領域４０から離れる方向に延在していてよい。また、図示の例のように、前方端部領域Ｆにおいて、前後方向圧搾溝１０、１０の前方端部１１、１１が、体液排出口対応領域４０から離れる方向に（本体８の前方に向かって）、前方端部領域Ｆに形成された前方端部領域圧搾溝２１のＶ字形状の先端２１ｓの位置を越えて延在しており、且つ後方端部領域Ｒにおいて、前後方向圧搾溝１０、１０の後方端部１２、１２が、体液排出口対応領域４０から離れる方向に（本体８の後方に向かって）、後方端部領域Ｒに形成された前方端部領域圧搾溝２２のＶ字形状の先端２２ｓの位置を越えて延在していると好ましい。
【００３４】
上記構成により、端部領域においては、前後方向圧搾溝１０、１０も起点となって本体８を変形させることができる。具体的には、図４に示す仮想線Ｘ１上では、前方端部領域圧搾溝２１のＶ字の先端２１ｓ、及び一対の前後方向圧搾溝１０、１０のそれぞれの前方端部１１、１１の３箇所が折れの起点となり得る。また、仮想線Ｘ２上では、前方端部領域２１のＶ字の先端２１ｓよりやや前方の、枝分かれした各圧搾溝、及び一対の前後方向圧搾溝１０、１０のそれぞれの前方端部１１、１１の計４箇所が折れの起点となり得る。端部領域において、このような複数の折れの起点ができることで、平面状の本体８をより自然に湾曲させることができる。そのため、前方端部領域Ｆであれば装着者の恥骨のカーブに、また後方端部領域Ｒであれば装着者のお尻のカーブに良好にフィットさせることができるので、装着感を向上させ、また端部領域圧搾溝２０の側方での体液の漏れも良好に防止することができる。
【００３５】
また、図１に示すように、前後方向圧搾溝１０、１０の、端部領域圧搾溝２０の略Ｖ字形状の先端２０ｓの位置を越えて延在している側の端部が、幅方向内側に向かって湾曲又は傾斜している。別の言い方をすれば、前後方向圧搾溝１０、１０は、その先端に近付く程、前後方向中心線に近付くように形成されている。
【００３６】
前後方向圧搾溝１０、１０の端部は、前後方向中心線ＣＬと略平行に延在していてもよいし、幅方向内側又は幅方向外側に湾曲又は屈曲して延在していてもよい。しかし、前後方向圧搾溝１０、１０の端部は幅方向内側に曲げられていると好ましい。
【００３７】
この場合、前後方向圧搾溝１０、１０の前方端部１１、１１及び後方端部１２、１２のいずれか一方が幅方向内側に向かって湾曲し得るが、前後方向圧搾溝１０、１０の前方端部１１、１１が幅方向内側に湾曲していると好ましい。また、図示の例のように、前方端部領域Ｆにおいて、前後方向圧搾溝１０、１０の前方の端部１１、１１が、幅方向内側に向かって湾曲しており、且つ後方端部領域Ｒにおいては、前後方向圧搾溝１０、１０の後方の端部１２、１２が、幅方向内側に向かって湾曲していると好ましい。なお、前後方向圧搾溝１０、１０の前方の端部１１、１１とは、前後方向圧搾溝１０、１０の前方の端縁を含む、ある程度の長さを持った部分を指し、後方の端部１２、１２とは、前後方向圧搾溝１０、１０の後方の端縁を含む、ある程度の長さを持った部分を指す。
【００３８】
上述のように、前後方向圧搾溝１０、１０の端部が幅方向内側に向かって曲げられていることによって、装着時に端部領域を身体に沿わせた場合に、前後方向圧搾溝１０、１０の端部より前側方及び／又は後側方の領域が身体に向かって曲がりやすくなる。そのため、本体８を身体の丸みに沿ってより一層良好にフィット（密着）させることができる。また、端部領域圧搾溝２０の側方からの体液の漏れも一層良好に防止することができる。
【００３９】
前後方向圧搾溝１０の端部の湾曲の程度は、特に限定されないが、湾曲した端部の延びの方向が前後方向中心線ＣＬとなす角度αが、１０〜８０°であると好ましく、１０〜５０°であるとより好ましく、１５〜４０°であるとより好ましい。角度αを、上記範囲とすることで、身体の丸みに適合させて端部領域を湾曲させ、フィット性を向上させるという上述の効果を一層向上させることができる。
【００４０】
上記角度αは、例えば、前後方向圧搾溝１０の幅方向に直交する中心線（溝中心線）の接線と、前後方向中心線ＣＬとがなす角度であってよい。また、角度αは、前後方向圧搾溝１０の溝中心線の接線と前後方向中心線ＣＬとがなす角度の最大値であってよい。
【００４１】
図３に、図１の吸収性物品１の、主として前方の部分の拡大図を示す。図３の例では、前後方向圧搾溝１０の端部１１における溝中心線の接線Ｙ１が、前後方向中心線ＣＬに平行な線Ｙ２となす角度として、角度αが示されている。
【００４２】
また、端部領域圧搾溝２０のＶ字の角度βも、特に限定されないが、６０〜１５０°であると好ましく、９０〜１３０°であるとより好ましく、１００〜１２０°であるとさらに好ましい。角度βを上記範囲とすることで、端部領域の変形を、身体の丸みにより適合させることが可能となる。
【００４３】
上記角度βは、端部領域圧搾溝２０に含まれるＶ字部分が、直線的に延びる２つの溝が連結して形成されている場合には、その２つの溝の溝中心線がなす角度とすることができる。また、端部領域圧搾溝２０に含まれるＶ字部分が、湾曲して延びる２つの溝が連結して形成されている場合には、その２つの溝の溝中心線の接線がなす角度とすることができる。
【００４４】
なお、図示の例では、前記端部領域圧搾溝２０のＶ字部分の先端２０ｓは、２つの圧搾溝が連結されて形成されているが、先端２０ｓを起点とする、身体の前側及び／又は後側に適合させた本体の変形が可能になってフィット性を向上させるという上述の効果を得ることができるのであれば、２つの圧搾溝は連結されていなくともよい。但し、その場合にも、２つの圧搾溝の溝中心線の延長線が連結する位置が、前後方向中心線ＣＬ上にあると好ましい。
【００４５】
図４に、図３と同様、図１の吸収性物品１の、主として前方の部分の拡大図を示す。図４においては、前方端部領域圧搾溝２１のＶ字形状の先端２１ｓを通り、幅方向に延びる仮想線をＸ１、前後方向圧搾溝１０、１０の前方の先端（終端）１１ｓ、１１ｓを通り、幅方向に延びる仮想線をＸ２とし、仮想線Ｘ１と仮想線Ｘ２との間隔をａとしている。つまり、間隔ａは、前方端部領域圧搾溝２１の先端２１ｓの位置と、前後方向圧搾溝１０、１０の前方の端部１１、１１の先端１１ｓ、１１ｓの位置との前後方向の間隔である。
【００４６】
上記間隔ａは、２．０〜８．０ｍｍであると好ましく、３．０〜６．０ｍｍであるとより好ましい。間隔ａを２．０ｍｍ以上とすることで、前後方向圧搾溝１０、１０が湾曲の起点として働く機能を向上させることができる。また、間隔ａを８．０ｍｍ以下とすることで、前後方向圧搾溝１０、１０によって端部領域に過度に剛性が付与されることを防止し、これにより、装着時の違和感を防止することができる。
【００４７】
前後方向圧搾溝１０、１０は、高圧搾部１８と、高圧搾部１８よりも窪みが浅い低圧搾部１９とを含んでいてよい（図１、４）。図面においては、高圧搾部１８は黒色で、低圧搾部１９は白色（無色）で示す。高圧搾部１８及び低圧搾部１９の圧搾深さは、特に限定されないが、高圧搾部１８は、低圧搾部１９の底面より、０．５ｍｍ〜３ｍｍ程度溝深さを相対的に深く形成した部分であってよい。このような高圧搾部と低圧搾部とを含む圧搾溝の構成は、所望の構成に対応する凹凸を有する加圧ロールを用いることによって得ることができる。例えば、圧搾溝全体の形状に対応する凸部を設け、さらに凸部上に、高圧搾部に対応する微細凸部を設けた加圧ロールを用いることができる。また、圧搾溝を構成しようとする領域に、比較的低い圧力で低圧搾部をまず形成し、その後、形成された低圧搾部の領域の一部に、比較的高い圧力で高圧搾部を形成することによって得ることができる。圧搾部の深さの調整は、圧搾溝の形成のために用いられる上述の加圧ロールの印圧を調整することによって行うことができる。
【００４８】
前後方向圧搾溝１０、１０が、高圧搾部１８と低圧搾部１９とを有している場合、前後方向圧搾溝１０、１０の、端部領域圧搾溝２０のＶ字形状の先端２０ｓの位置を越えて延在している部分が、高圧搾部１８を有していないことが好ましい。すなわち、図３に示すように、前後方向圧搾溝１０、１０が、仮想線Ｘ１と仮想線Ｘ２との間の前後方向の範囲には、高圧搾部１８を有していないことが好ましい。
【００４９】
高圧搾部１８は、より強い圧力で圧搾された部分であるので、高圧搾部１８が設けられていると、また高圧搾部１８が密集して設けられていると、その部分の剛性が大きくなり、圧搾溝周辺の柔軟性は低下する。そのため、前後方向圧搾溝１０、１０の、端部領域圧搾溝２０のＶ字形状の先端２０ｓの位置を越えて延在している部分に、高圧搾部１８を設けないことにより、前後方向圧搾溝１０、１０の端部付近及びその周辺の領域における柔軟性の低下を抑えることができる。これにより、前後方向圧搾溝１０、１０の端部が湾曲の起点になり得るという作用を維持しつつ、前後方向圧搾溝１０、１０の端部付近及びその周辺の領域が当たることによって生じる違和感を低減又は防止できる。
【００５０】
なお、図示の例では、前後方向圧搾溝１０、１０の、端部領域圧搾溝２０のＶ字形状の先端２０ｓの位置を越えて延在している部分が、高圧搾部１８を有していない構成としているが、高圧搾部１８自体のサイズを小さくしたり、高圧搾部１８間のピッチを小さくしたりすることによって、前後方向圧搾溝１０、１０の仮想線Ｘ１と仮想線Ｘ２との間の領域の剛性を小さくすることができる。そのような構成も、違和感の低減又は防止に寄与することができる。
【００５１】
なお、高圧搾部及び低圧搾部を含む構成は、前後方向圧搾溝１０、１０以外の圧搾溝においても設けられていてよい。図示の例では、端部領域圧搾溝２０（前方端部領域圧搾溝２１及び後方端部領域圧搾溝２２）にも、高圧搾部と低圧搾部とが設けられている。
【００５２】
前後方向圧搾溝１０、１０と端部領域圧搾溝２０とは、連結していてもよいし、離間していてもよい。しかし、前後方向圧搾溝１０、１０と端部領域圧搾溝２０とが離間していると、端部領域の側部において剛性が過度に高くなることを回避することができる。これにより、装着時に端部領域における違和感を低減させることができる。
【００５３】
図４においては、前後方向圧搾溝１０、１０と端部領域圧搾溝２０との間隔をｂで示す。間隔ｂは、前後方向圧搾溝１０、１０と端部領域圧搾溝２０との最短距離である。間隔ｂは、５〜１５ｍｍであると好ましく、７〜１０ｍｍであるとより好ましい。
【００５４】
なお、図示の例では、前方端部領域圧搾溝２１の略Ｖ字形状を含む形状は、１本の環状の圧搾溝からなるハート形であるが、形状は図示のものに限られない。例えば、図５（ａ）のようなＶ字形状であってよいし、図５（ｂ）に示すような滴形状であってよい。また、図５（ｃ）のように、全体としてハート形状であるが、前後方向で分断された形状であってもよい。さらに、図５（ｄ）のように、Ｖ字形状を前後方向に複数連ねた構成とすることもできる。
【００５５】
図１、３、４、並びに図５（ｃ）及び（ｄ）のように、体液排出口対応領域４０に向かって突出するＶ字の部分を複数含む形状であると、本体８を湾曲させる際、湾曲の起点が前後方向で複数形成されるので、本体８を身体の丸みに沿って変形させるという観点から好ましい。図５（ｃ）、（ｄ）はいずれも、複数のＶ字の先端２０ｓ、２０ｓ’を有している。一方、図５（ａ）及び（ｂ）のように、体液排出口対応領域４０に向かって突出する１つの先端２０ｓを有する形状では、圧搾部の密集を回避でき剛性を比較的小さくできるので、ごわつき防止等の観点から好ましい。
【００５６】
以上、吸収性物品１の特徴を、主として本体８の前方端部領域Ｆに関して説明したが、同様の特徴を、吸収性物品１の後方端部領域Ｒにおいても有することができる。
【００５７】
図６に、本発明の別の形態による吸収性物品６０１を示す。吸収性物品６０１は、吸収性物品１と同様、表面シート６０３と、吸収体と、裏面シートとを備えた本体６０８を有し、前後方向中心線ＣＬを対称軸とした左右対称の一対の前後方向圧搾溝６１０、６１０と、体液排出口対応領域４０に向かって突出する略Ｖ字形状を含む形状を有する端部領域圧搾溝６２０とを有し、前後方向圧搾溝６１０、６１０が、体液排出口対応領域４０から離れる方向に、端部領域圧搾溝６２０の略Ｖ字形状の先端６２０ｓの位置を越えて延在している。しかし、吸収性物品６０１においては、吸収性物品１に比べて後方端部領域Ｒの長さ及び前後方向圧搾溝６１０、６１０の長さが長い。また、端部領域圧搾溝としては、前方端部領域圧搾溝６２０を備えており、後方端部領域Ｆに端部領域圧搾溝を有していない。
【００５８】
吸収性物品６０１においても、前後方向圧搾溝６１０、６１０の前方の端部６１１、６１１は、幅方向内側に向かって曲げられているので、装着時に前方端部領域Ｆを身体に沿わせた場合に、恥骨のカーブに沿って自然に湾曲させることができる。
【００５９】
前後方向圧搾溝６１０の端部６１１の曲がり具合は、端部６１１の延びの方向と、前後方向中心線ＣＬとなす角度αが、１０〜５０°であると好ましく、１５〜３０°であるとより好ましい。
【００６０】
吸収性物品６０１においては、一対の前後方向圧搾溝６１０、６１０は、後方端部領域Ｒにおいて、互いに連結している。このような形状により、後方への漏れを防止することができる。よって、図６に示す吸収性物品６０１は、特に、夜用又は長時間用の生理用ナプキンとして好適に使用することができる。
【００６１】
本発明の第一の形態は、透液性の表面シートと、不透液性の裏面シートと、前記表面シートと前記裏面シートとの間に設けられた吸収体とを有する本体を備えた吸収性物品であって、前記本体が、前後方向に所定の長さ及び当該前後方向と直交する幅方向に所定の幅を有する細長形状を有し、前記本体が、装着時に装着者の体液排出口に対応する体液排出口対応領域を含む中央領域と、前記中央領域の前方の前方端部領域と、前記中央領域の後方に位置する後方端部領域とを有し、前記表面シート側から前記裏面シート側へと窪む圧搾溝を有し、前記圧搾溝が、前記本体の前記前後方向に延びる中心線を対称軸として線対称に、前記前後方向に延在する一対の前後方向圧搾溝と、前記前方端部領域及び前記後方端部領域のうち少なくとも一方の端部領域に形成され、前記体液排出口対応領域に向かって突出する略Ｖ字形状を含む形状を有する端部領域圧搾溝とを有し、前記前後方向圧搾溝が、前記体液排出口対応領域から離れる方向に、前記端部領域圧搾溝の前記略Ｖ字形状の先端の位置を越えて延在している。
【００６２】
以下、本発明の好ましい態様を付記する。
【００６３】
（付記１）
付記１に係る態様は、透液性の表面シートと、不透液性の裏面シートと、前記表面シートと前記裏面シートとの間に設けられた吸収体とを有する本体を備えた吸収性物品であって、前記本体が、前後方向に所定の長さ及び当該前後方向と直交する幅方向に所定の幅を有する細長形状を有し、前記本体が、装着時に装着者の体液排出口に対応する体液排出口対応領域を含む中央領域と、前記中央領域の前方の前方端部領域と、前記中央領域の後方の後方端部領域とを有し、前記表面シート側から前記裏面シート側へと窪む圧搾溝を有し、前記圧搾溝が、前記前後方向に延在する一対の前後方向圧搾溝と、前記前方端部領域及び前記後方端部領域のうち少なくとも一方の端部領域に形成され、前記体液排出口対応領域に向かって突出する略Ｖ字形状を含む形状を有する端部領域圧搾溝とを有し、前記前後方向圧搾溝が、前記体液排出口対応領域から離れる方向に、前記端部領域圧搾溝の前記略Ｖ字形状の先端の位置を越えて延在している。
【００６４】
上記付記１に係る態様によれば、少なくとも一方の端部領域に形成され、略Ｖ字形状を含む形状を有する端部領域圧搾溝が設けられているので、端部圧搾溝の略Ｖ字形状の先端部分が起点となって、吸収性物品本体の端部領域が前後方向に湾曲しやすくなり、また略Ｖ字の先端から延びる２本の溝に沿って幅方向にも湾曲しやすくなる。さらに、前後方向圧搾溝が、端部領域圧搾溝の略Ｖ字形状の先端の位置を越えて延在していることにより、前後方向圧搾溝も起点となって端部領域の側部が変形可能となる。そのため、本体の端部領域を身体の丸みに沿って変形させ、身体に良好にフィットさせることができ、装着感を向上させることができる。
【００６５】
（付記２）
付記２に係る態様では、前記前後方向圧搾溝の前記少なくとも一方の端部が、前記幅方向内側に向かって湾曲している。
【００６６】
上記付記２に係る態様によれば、前後方向圧搾溝の端部が、幅方向内側に向かって湾曲し、端部領域圧搾溝の方を向いている。これにより、前後方向圧搾溝の端部より前側方及び／又は後側方の領域が身体に向かって曲がりやすくなるやすくなるので、吸収性物品本体を身体の丸みに沿って一層良好にフィットさせることができる。
【００６７】
（付記３）
付記３に係る態様では、前記端部領域圧搾溝の前記略Ｖ字形状の先端の位置と、前記前後方向圧搾溝の、前記先端の位置を越えて延在している部分の先端の位置との間の前記前後方向の間隔が、２．０〜８．０ｍｍである。
【００６８】
上記付記３に係る態様によれば、端部領域圧搾溝の略Ｖ字形状の先端の位置と、前後方向圧搾溝の、端部領域圧搾溝の略Ｖ字形状の先端の位置を越えて延在している部分の先端の位置との間の前後方向の間隔を所定の範囲に規定している。これにより、前後方向圧搾溝が湾曲の起点となる機能を維持できる一方、前後方向圧搾溝によって端部領域の剛性が過度に大きくなって、装着時の違和感が生じることを防止することができる。
【００６９】
（付記４）
付記４に係る態様では、前記前後方向圧搾溝が、高圧搾部と、当該高圧搾部より窪みが浅い低圧搾部とを有し、前記前後方向圧搾溝の、前記端部領域圧搾溝の前記略Ｖ字形状の先端の位置を越えて延在している部分が、前記高圧搾部を有さない。
【００７０】
上記付記４に係る態様によれば、前後方向圧搾溝の、端部領域圧搾溝の略Ｖ字形状の先端の位置を越えて延在している部分が、高圧搾部を有していないことで、前後方向圧搾溝の、端部領域圧搾溝の先端を越えて延在している部分の剛性を比較的小さくすることができる。そのため、前後方向圧搾溝の、湾曲の起点としての機能を維持しつつ、前後方向圧搾溝の端部が過度に剛性を有して肌に触れた時に違和感を生じさせることを防止できる。
【００７１】
（付記５）
付記５に係る態様では、前記略Ｖ字形状のＶ字の角度が、６０〜１５０°である。
【００７２】
上記付記５に係る態様によれば、端部領域圧搾溝の略Ｖ字形状のＶ字の角度を所定の角度にしているため、本体の、身体の丸みに沿った自然な変形が可能になる。
【００７３】
（付記６）
付記６に係る態様では、前記前後方向圧搾溝と前記端部領域圧搾溝とが、前記幅方向に離間している。
【００７４】
上記付記６に係る態様によれば、前後方向圧搾溝と端部領域圧搾溝とを離間して形成しているため、圧搾溝が密集して剛性が過度に高くなることを防止することができる。
【００７５】
（付記７）
付記７に係る態様では、前記端部領域圧搾溝が前記前方端部領域に形成されており、  前記一対の前後方向圧搾溝が前記後方端部領域において互いに連結している。
【００７６】
上記付記７に係る態様によれば、前方端部領域に端部領域圧搾溝が設けられており、一対の前後方向圧搾溝が後方端部領域において互いに連結しているので、第一の形態により得られる効果が、吸収性物品本体の前方端部領域において得られる一方、後方端部領域では、一対の前後方向圧搾溝が閉じられているので、後方への漏れを良好に防止することができる。
【００７７】
本出願は、２０１７年６月１９日に日本国特許庁に出願された特願２０１７−１１９７４３号に基づく優先権を主張するものであり、その全内容は参照をもってここに援用される。
【符号の説明】
【００７８】
１、６０１  吸収性物品
２  裏面シート
３、６０３  表面シート
４  吸収体
５  被包シート
７  サイド不織布
８、６０８  本体（吸収性物品本体）
１０、６１０  前後方向圧搾溝
１１、６１１  前後方向圧搾溝の前方の端部
１１ｓ  前後方向圧搾溝の前方の先端
１２ｓ  前後方向圧搾溝の後方の先端
１２  前後方向圧搾溝の後方の端部
１８  高圧搾部
１９  低圧搾部
２０、６２０  端部領域圧搾溝
２１  前方端部領域圧搾溝
２２  後方端部領域圧搾溝
２０ｓ、２０ｓ’、２１ｓ、２１ｓ’、２２ｓ、２２ｓ’、６２０ｓ  Ｖ字の先端
４０、６４０  体液排出口対応領域
ＣＬ  前後方向中心線
Ｆ  前方端部領域
Ｍ  中央領域
Ｒ  後方端部領域
Ｗ  ウィング
【要約】
本体が細長形状を有し圧搾溝を有する吸収性物品において、圧搾溝が、前後方向に延在する一対の前後方向圧搾溝と、前方端部領域及び後方端部領域のうち少なくとも一方の端部領域に形成され、中央領域に向かって突出する略Ｖ字形状を含む形状を有する端部領域圧搾溝とを有し、前後方向圧搾溝が、前記体液排出口対応領域から離れる方向に、端部領域圧搾溝の略Ｖ字形状の先端の位置を越えて延在している。【図１】
0006515248.tif 000002
【図２】
0006515248.tif 000003
【図３】
0006515248.tif 000004
【図４】
0006515248.tif 000005
【図５】
0006515248.tif 000006
【図６】
0006515248.tif 000007